(57)【特許請求の範囲】
【請求項１】
少なくとも内蔵脂肪面積および皮下脂肪面積を含む体脂肪面積と相関のある変数値を測定する変数測定手段または／および体脂肪面積と相関のある変数値を入力する変数入力手段と、体脂肪面積を推定する回帰式を記憶する記憶手段と、前記変数測定手段または／および変数入力手段によるデータと前記記憶手段に記憶された体脂肪面積を推定する回帰式とに基づいて体脂肪面積を演算する演算手段と、外側に演算された皮下脂肪面積、内側に演算された内蔵脂肪面積を同心円として表したグラフにて表示する表示手段とを備えていることを特徴とする体脂肪面積を求める装置。
【請求項２】
少なくとも性別、年齢、身長の一つを含む個人パラメーターを入力する個人パラメーター入力手段または／および少なくとも性別、年齢、身長の一つを含む個人パラメーターを測定する個人パラメーター測定手段とを更に備え、前記演算手段は、前記変数測定手段または／および変数入力手段によるデータと前記個人パラメーター入力手段または／および個人パラメーター測定手段によるデータと前記記憶手段に記憶された体脂肪面積を推定する回帰式とに基づいて体脂肪面積を演算する請求項１に記載の体脂肪面積を求める装置。
【請求項３】
前記表示手段は、判定指標として、目盛線を表示する請求項１または２に記載の体脂肪面積を求める装置。
【請求項４】
前記目盛線は、段階的に設けられている請求項３に記載の体脂肪面積を求める装置。
【請求項５】
前記目盛線により形成された領域毎に表示パターンが変化する請求項４に記載の体脂肪面積を求める装置。
【請求項６】
前記表示パターンは、形状、色、柄、模様、色彩、点滅状態である請求項５に記載の体脂肪面積を求める装置。
【請求項７】
前記目盛線は、内臓脂肪面積が１００ｃｍ2であることを示す箇所および内臓脂肪面積が１３０ｃｍ2であることを示す箇所に設けられた同心円の目盛線である請求項４から６のうちのいずれか１項に記載の体脂肪面積を求める装置。
【請求項８】
体脂肪面積と相関のある前記変数は、体幹部体脂肪、全身体脂肪、全身のインピーダンス、ＢＭＩ、カウブ指数、ローレル指数のいずれか少なくとも一つである請求項１から７のうちのいずれか１項に記載の体脂肪面積を求める装置。
【請求項９】
前記体幹部体脂肪は、体幹部体脂肪率または体幹部体脂肪量である請求項８に記載の体脂肪面積を求める装置。
【請求項１０】
前記全身体脂肪は、全身体脂肪率または全身体脂肪量である請求項８に記載の体脂肪面積を求める装置。
【発明の詳細な説明】
【０００１】
【発明の属する技術分野】
本発明は、健康管理への有益な情報を提供する体脂肪面積を求める装置に関するものである。
【０００２】
【従来の技術】
従来、皮下脂肪面積や内蔵脂肪面積を求めるには、Ｘ線ＣＴ装置等により身体の腹部（へそ部位）の断層写真を撮り、その断面写真の画像を解析して数値化することにより行われていた。そして、医師等の専門者が、その数値化されたデータから被験者に対して、皮下脂肪面積や内蔵脂肪面積の状態についての判定やその判定結果に対するアドバイスを行っていた。
【０００３】
【発明が解決しようとする課題】
しかしながら、前述したように皮下脂肪面積や内蔵脂肪面積が求められた時点の結果が、単に数値化された皮下脂肪面積や内蔵脂肪面積の情報では、別途に判定のための基準を参照しなければ、求められた皮下脂肪面積や内蔵脂肪面積が健康上良好なものであるのか健康上気を付けなければならない程度のものであるのか等の判断ができなかった。また、その判定結果に対して以後健康管理上どのように対処しなければならないか等についても、医師等の専門者の指示や指導書を参照しなければならなかった。いずれの場合にも自己の健康状態を容易に把握することができないという問題があった。
【０００４】
そこで、本発明の目的は、前述したような従来の問題点を解消しうるような体脂肪面積測定表示装置を提供することである。
【０００５】
【課題を解決するための手段】
本発明の一つの観点によれば、少なくとも内蔵脂肪面積および皮下脂肪面積を含む体脂肪面積と相関のある変数値を測定する変数測定手段または／および体脂肪面積と相関のある変数値を入力する変数入力手段と、体脂肪面積を推定する回帰式を記憶する記憶手段と、前記変数測定手段または／および変数入力手段によるデータと前記記憶手段に記憶された体脂肪面積を推定する回帰式とに基づいて体脂肪面積を演算する演算手段と、外側に演算された皮下脂肪面積、内側に演算された内蔵脂肪面積を同心円として表したグラフにて表示する表示手段とを備えた体脂肪面積を求める装置が提供される。
【０００６】
本発明の一つの実施の形態によれば、体脂肪面積を求める装置は、少なくとも性別、年齢、身長の一つを含む個人パラメーターを入力する個人パラメーター入力手段または／および少なくとも性別、年齢、身長の一つを含む個人パラメーターを測定する個人パラメーター測定手段とを更に備え、前記演算手段は、前記変数測定手段または／および変数入力手段によるデータと前記個人パラメーター入力手段または／および個人パラメーター測定手段によるデータと前記記憶手段に記憶された体脂肪面積を推定する回帰式とに基づいて体脂肪面積を演算する。
【０００７】
本発明の別の実施の形態によれば、前記表示手段は、判定指標として、目盛線を表示する。本発明のさらに別の実施の形態によれば、前記目盛線は、段階的に設けられている。本発明のさらに別の実施の形態によれば、前記目盛線により形成された領域毎に表示パターンが変化する。本発明のさらに別の実施の形態によれば、前記表示パターンは、形状、色、柄、模様、色彩、点滅状態である。本発明のさらに別の実施の形態によれば、前記目盛線は、内臓脂肪面積が１００ｃｍ2であることを示す箇所および内臓脂肪面積が１３０ｃｍ2であることを示す箇所に設けられた同心円の目盛線である。
【０００８】
本発明のさらに別の実施の形態によれば、体脂肪面積と相関のある前記変数は、体幹部体脂肪、全身体脂肪、全身のインピーダンス、ＢＭＩ、カウブ指数、ローレル指数のいずれか少なくとも一つである。
【０００９】
本発明のさらに別の実施の形態によれば、前記体幹部体脂肪は、体幹部体脂肪率または体幹部体脂肪量である。
【００１０】
本発明のさらに別の実施の形態によれば、前記全身体脂肪は、全身体脂肪率または全身体脂肪量である。
【００１１】
本発明の別の観点によれば、体脂肪面積と相関のある変数値を測定する変数測定手段または／および体脂肪面積と相関のある変数値を入力する変数入力手段と、体脂肪面積を推定する回帰式を記憶する記憶手段と、前記変数測定手段または／および変数入力手段によるデータと前記記憶手段に記憶された体脂肪面積を推定する回帰式とに基づいて体脂肪面積を演算する演算手段と、演算結果を縦軸に肥満判定指数、横軸に前記体脂肪面積としたマトリクス状のグラフに表示する表示手段とを備えた体脂肪面積を求める装置が提供される。
【００１２】
本発明の一つの実施の形態によれば、前記体脂肪面積は、内臓脂肪の値または皮下脂肪の値または総脂肪の値である。
【００１３】
本発明のさらに別の実施の形態によれば、前記肥満判定指数は、体格指数またはカウブ指数またはローレル指数である。
【００１４】
本発明のさらに別の実施の形態によれば、体脂肪面積と相関のある前記変数は、体幹部体脂肪、全身体脂肪、全身インピーダンス、ＢＭＩ、カウブ指数、ローレル指数のいずれか少なくとも一つである。
【００１５】
本発明のさらに別の実施の形態によれば、前記体幹部体脂肪は、体幹部体脂肪率または体幹部体脂肪量である。
【００１６】
本発明のさらに別の実施の形態によれば、前記全身体脂肪は、全身体脂肪率または全身体脂肪量である。
【００１７】
本発明のさらに別の実施の形態によれば、前記表示手段は、判定指標として、目盛線を表示する。
【００１８】
本発明のさらに別の実施の形態によれば、前記目盛線は、段階的に設けられている。
【００１９】
本発明のさらに別の実施の形態によれば、前記目盛線は、内臓脂肪面積が１００ｃｍ2であることを示す箇所および内臓脂肪面積が１３０ｃｍ2であることを示す箇所に設けられた目盛線である。
【００２０】
【発明の実施の形態】
次に、添付図面に基づいて、本発明の実施の形態および実施例について本発明をより詳細に説明する。
【００２１】
図１は、本発明による一実施例としての体脂肪面積を求める装置のブロック図である。この実施例の体脂肪面積を求める装置は、体脂肪面積と相関のある変数値を測定する変数測定手段１と、性別、年齢、身長等の個人パラメーターを入力する個人パラメーター入力手段２と、体脂肪面積を推定する回帰式を記憶する記憶手段３と、変数測定手段１および個人パラメーター入力手段２によるデータと、記憶手段３による体脂肪面積を推定する回帰式とに基づいて体脂肪面積を演算する演算手段４と、演算手段４によって求められた体脂肪面積の結果から肥満や健康に関する判定指標やアドバイス情報を与えるための判定を行う判定手段５と、判定手段５による判定指標やアドバイス情報を表示するための表示手段６と、これら各手段を制御する制御手段７とを備える。
【００２２】
制御手段７は、変数測定手段１や個人パラメーター入力手段２からのデータを受け、このデータを演算手段４に送って、記憶手段４に記憶している体脂肪面積を推定する回帰式により体脂肪面積を演算させ、その結果から判定手段５により、肥満や健康に関する肥満や健康に関する判定指標やアドバイス情報をを与えるようにし、その求められた体脂肪面積の結果と共に、肥満や健康に関する判定指標やアドバイス情報を表示手段６に表示させるように作動する。
【００２３】
この実施例の体脂肪面積を求める装置において、変数測定手段１、個人パラメーター入力手段２、記憶手段３、演算手段４および制御手段７により、体脂肪面積を求める方法については、本出願人の先の出願である特願２０００−３２８６８７号の明細書および図面に詳述されているものと同様の方法を採用しうる。
【００２４】
ここで、変数測定手段１により測定する体脂肪面積と相関のある変数値とは、全身体脂肪、体幹部体脂肪、腹部周径囲、肥満判定指数、体重等の各変数のいずれかの一つまたは二つ以上を組み合わせた値のことである。各変数値は単独で体脂肪面積と相関をなすものである。
【００２５】
なお、ここで全身体脂肪とは、全身体脂肪率、全身体脂肪量等のことである。また、体幹部体脂肪とは、体幹部体脂肪率、体幹部体脂肪量等のことである。更に、肥満判定指数とは、体重と身長との比から求められる肥満判定の指数のことであり、例えば、体重（ｋｇ）÷身長（ｍ）÷身長（ｍ）にて求める体格指数（ＢＭＩ）：Body  Mass  Index）、体重（ｋｇ）÷身長（ｃｍ）÷身長（ｃｍ）×１０4にて求めるカウブ指数、体重（ｋｇ）÷身長（ｃｍ）÷身長（ｃｍ）÷身長（ｃｍ）×１０7にて求めるローレル指数等のことである。
【００２６】
また、個人パラメーター値とは、性別、年齢、身長、人種等の各変数値のことである。各変数値は、単独では体脂肪面積と相関がなく、前記の体脂肪面積と相関のある変数と組み合わせることにより体脂肪面積と相関をなすものである。
【００２７】
また、体脂肪面積とは、内臓脂肪面積、内臓脂肪量、内臓脂肪率等の値で表される内臓脂肪の値、皮下脂肪面積、皮下脂肪量、皮下脂肪率等の値で表される皮下脂肪の値、内臓脂肪と皮下脂肪とを合わせた総脂肪面積、総脂肪量、総脂肪率等で表される総脂肪の値のいずれか、もしくは組み合わせたものである。
【００２８】
なお、ここで内臓脂肪面積とは、身体の腹部（主にへそ部位）を断面にしたときの内臓脂肪面積のことをいう。また、皮下脂肪面積とは、身体の腹部（主にへそ部位）を断面にしたときの皮下脂肪面積のことをいう。
【００２９】
次に、図１の体脂肪面積を求める装置において、体脂肪面積を求めるまでの動作について説明する。図２は、図１の装置の動作手順を表すフローチャートである。このフローチャートにそって説明するに、まず、体脂肪面積を求める装置の電源を入れる（ステップＳ１）。それから、個人パラメーター入力手段２により性別、年齢、身長、人種等の個人パラメーター値を入力する（ステップＳ２）。次いで、変数測定手段１により全身体脂肪、体幹部体脂肪、腹部周径囲、肥満判定指数、体重等の体脂肪面積と相関のある変数値を測定する（ステップＳ３）。次に、記憶手段３に記憶されている個人パラメーター入力手段２により入力された個人パラメーター値および変数測定手段１により測定された変数値から体脂肪面積を推定する回帰式に基づいて、演算手段４により体脂肪面積を後述するような演算を行い、算出面積として求める（ステップＳ４）。
【００３０】
次に、Ｘ線ＣＴ装置により求められた体脂肪面積と変数値から体脂肪面積を推定する回帰式に基づいて求められた算出面積との相関について、図３の体脂肪面積ＣＴと算出面積との相関を示す図を用いて詳述する。縦軸にＸ線ＣＴ装置により求められた体脂肪面積、横軸に変数値から体脂肪面積を推定する回帰式に基づいて求められた算出面積を表す。また、直線は回帰線、点は回帰線を作り出したもとになるサンプリングデータを表す。更にまた、Ｒ2は決定係数を表し、０≦Ｒ2≦１であり、Ｒ2が１に近いときにはデータと回帰線とのくい違いが小さく、サンプリングデータに対する回帰線のあてはまりが良いことを意味するものである。
【００３１】
前述のように、Ｘ線ＣＴ装置により求められた体脂肪面積と変数値から体脂肪面積を推定する回帰式に基づいて求められた算出面積とは、相関を示すことがわかっており、この図３の体脂肪面積ＣＴと算出面積との相関を示す図の具体的サンプルを図４に示す。図４は、縦軸にＸ線ＣＴ装置により求められた内臓脂肪面積、横軸に全身体脂肪量から内臓脂肪面積を推定する回帰式に基づいて求められた算出面積とする場合の相関を示す図である。以下同様にして、Ｘ線ＣＴ装置により求められた内臓脂肪面積は、体幹部体脂肪量から内臓脂肪面積を推定する回帰式に基づいて求められた算出面積や、腹部周径囲から内臓脂肪面積を推定する回帰式に基づいて求められた算出面積や、ＢＭＩから内臓脂肪面積を推定する回帰式に基づいて求められた算出面積や、体重から内臓脂肪面積を推定する回帰式に基づいて求められた算出面積や、腹部周径囲に年齢を加味した内臓脂肪面積を推定する回帰式に基づいて求められた算出面積や、腹部周径囲とＢＭＩと全身体脂肪量とから内臓脂肪面積を推定する回帰式に基づいて求められた算出面積や、腹部周径囲とＢＭＩと全身体脂肪量に年齢を加味した内臓脂肪面積を推定する回帰式に基づいて求められた算出面積等とも相関関係があることが確認されている。
【００３２】
これらのことは、あくまでも一例であり、多様な関係の組み合わせによる変数値から内臓脂肪面積を推定する回帰式に基づいて求められた算出面積とＸ線ＣＴ装置により求められた内臓脂肪面積とに相関関係がある。
【００３３】
また、この例では、Ｘ線ＣＴ装置により求められた内臓脂肪面積との相関を示すものであるが、Ｘ線ＣＴ装置以外の装置、例えば、ＭＲＩ装置等により求められた内臓脂肪面積と相関をとるものであってもよい。また、内臓脂肪面積についての相関の例を示したが、内臓脂肪面積以外の体脂肪面積においても同様な例示が可能である。
【００３４】
本発明において、測定される全身体脂肪、体幹部体脂肪、腹部周径囲、肥満判定指数、体重等の各変数値は、体脂肪面積との相関関係において、決定係数Ｒ2の値は、実用上十分に利用可能なものである。
【００３５】
また、個人パラメーター値である性別、年齢、身長、人種等の各変数値は、体脂肪面積と相関のある変数と組み合わせることによりさらに決定係数Ｒ2が増加することが実験により分かっており、より正確な体脂肪面積の推定に利用可能なものである。
【００３６】
次に、前述したように、演算手段４により体脂肪面積を推定する演算処理について詳述する。演算手段４では、記憶手段３により記憶され、図３に示すようなＸ線ＣＴ装置により求められた体脂肪面積と相関関係にあり、変数値から体脂肪面積を推定する回帰式に基づいて演算し、算出面積として体脂肪面積を求める。
変数値から体脂肪面積を推定する回帰式は、下記（１）式の回帰式で表される。
そして、この（１）式の回帰式に基づいて、個人パラメーター入力手段２により入力された個人パラメーター値と変数測定手段１により測定された変数値とを変数値として、体脂肪面積の推定値を算出面積として演算して求める。
【００３７】
Ｙ＝ａ×Ｘ1＋ｂ×Ｘ2＋ｃ×Ｘ3………ｙ×Ｘn＋ｚ            （１）
ちなみに、（１）式の回帰式の各記号の意味するところを次に示す。
【００３８】
Ｙ：体脂肪面積の算出面積
Ｘ1、Ｘ2、Ｘ3、……Ｘn ：各変数
ａ、ｂ、ｃ、………、ｙ、ｚ：係数
なお、個人パラメーター値は、（１）式の回帰式におけるＸn にあたる変数値を独立して形成するものでなく、体脂肪面積と相関のある変数値を形成するものとして用いられても良い。例えば、体脂肪面積と相関のある変数である体重と個人パラメーター値である身長を組み合わせたことにより形成された体脂肪面積と相関のある変数値であるＢＭＩ等が挙げられる。
【００３９】
以上のように、本発明における体脂肪面積を求める仕方では、全身体脂肪、体幹部体脂肪、腹部周径囲、肥満度判定指数、体重等の体脂肪面積と相関のある変数値を変数測定手段１により測定し、この測定されたデータを演算手段４が、記憶手段３に記憶してある体脂肪面積を推定する回帰式に基づいて演算することにより、体脂肪面積を求めることができる。
【００４０】
更に、性別、年齢、身長、人種等の個人パラメーター値を入力する個人パラメーター入力手段２により入力されるデータを加味したことで決定係数Ｒ2が１に近い推定精度のより向上した体脂肪面積を求めることができる。
【００４１】
図５は、図１のブロック図に示した本発明の一実施例としての体脂肪面積を求める装置の一つの実施の形態としての、特に内臓脂肪面積を求める装置の具体的構成を示す外観図である。この図５の具体的構成においては、内臓脂肪面積を求める装置は、主として、変数測定手段１の一部および個人パラメーター入力手段２並びに記憶手段３、演算手段４、判定手段５、表示手段６および制御手段７を構成する体重計付き体脂肪計１１と、変数測定手段１の一部を構成するエンコーダー式メジャー２１とで構成されている。そして、体重計付き体脂肪計１１とエンコーダ式メジャー２１との間は、ケーブル（図示していない）により接続されるものである。
【００４２】
体重計付き体脂肪計１１は、載せ台１２の上面に、全身のインピーダンスを検出するための電極１３と、測定結果を表示する表示部１４と、電源投入や全身体脂肪を求めるために必要な性別、年齢、身長等の個人パラメーター値を入力するスイッチ部１５とを備える。また、体重計付き体脂肪計の内部には、体重を検出するための重量センサと、電極１３や重量センサからの信号を増幅しＡ／Ｄ変換する変換回路と、全身のインピーダンスおよび個人パラメーター値から全身体脂肪を推定する体脂肪推定式を記憶する記憶回路と、変換回路およびスイッチ部１５によるデータと記憶回路による体脂肪推定式とに基づいて全身体脂肪を演算する演算回路と、これら各回路を制御する制御回路とが設けられている。以上述べた構成部分は、通常の体重計付き体脂肪計が備えているものである。
【００４３】
本発明により、この体重計付き体脂肪計１１は、更に、図１のブロック図に関連して説明した、性別、年齢、身長等の個人パラメーターを入力する個人パラメーター入力手段２と、内臓脂肪面積を推定する回帰式を記憶する記憶手段３と、変数測定手段１および個人パラメーター入力手段２によるデータと記憶手段３による内臓脂肪面積を推定する回帰式とに基づいて内臓脂肪面積を演算する演算手段４と、演算手段４によって求められた内臓脂肪面積の結果から肥満や健康に関する判定指標やアドバイス情報を与えるための判定を行う判定手段５と、判定手段５による判定指標やアドバイス情報を表示するための表示手段６と、これら各手段を制御する制御手段７とを構成する部分を備えている。
【００４４】
そして、内臓脂肪面積を求める構成としての個人パラメーター入力手段、記憶手段、演算手段、表示手段、制御手段は、全身体脂肪、体重を測定する変数測定手段の構成としてのスイッチ部、記憶回路、演算回路、表示部、制御回路と共用するものである。
【００４５】
エンコーダ式メジャー２１は、筐体２２の外部の正面に、測定結果を表示する表示部２３と、電源投入や性別、年齢、身長、人種等の個人パラメーター値を入力するスイッチ部２４とを備え、更に、筐体２２の側面から筐体内部に巻き込まれ且つ引き出せるようにされた巻尺部２５を備える。また、筐体２２の内部には、巻尺部２５の引き出された位置を検出する寸法検出部と、この寸法検出部からの信号を増幅し、Ａ／Ｄ変換する変換回路と、この変換回路からの信号に基づいて腹部周径囲を演算する演算回路と、これら各回路を制御する制御回路とが設けられている。
【００４６】
次に、この内臓脂肪面積を求める装置の操作手順、動作について説明する。この装置を用いて内臓脂肪面積を求める場合、先ず、スイッチ部１５または２４のいずれかを操作して電源をオンとする。次いで、スイッチ部の適当なスイッチを用いて性別、年齢、身長の個人パラメータ値を入力する。それから、エンコーダ式メジャー２１の巻尺部２５を、被測定者の腹部（へそ部位）のまわりに巻き付けて腹部周径囲を測定する。次いで、被測定者が体重計付き体脂肪計１１の上に乗り、全身のインピーダンスおよび体重を測定する。
【００４７】
これにより、演算回路において、測定されたデータと入力されたデータから全身体脂肪量とＢＭＩとが通常の演算にて求められる。全身体脂肪量は、全身のインピーダンス、体重、性別、年齢、身長のデータから求められる。ＢＭＩは、体重、身長のデータから求められる。
【００４８】
そして、これら演算にて求められたデータの全身体脂肪量とＢＭＩ、測定されたデータの腹部周径囲、入力されたデータの年齢の値を変数値とする内臓脂肪面積を推定する次の回帰式に基づいて、内臓脂肪面積が演算によって求められる。
【００４９】
内臓脂肪面積Ｙ＝ａ×腹部周径囲＋ｂ×ＢＭＩ＋ｃ×全身体脂肪量＋ｄ×年齢＋ｆ
次いで、判定手段が、このような演算によって求められた内臓脂肪面積の結果を判定し、肥満や健康に関する判定指標やアドバイス情報を生成し（図２のフローチャートにおけるステップＳ５）、表示部に、判定手段による判定指標やアドバイス情報が表示され（同ステップＳ６）、測定者は、その表示を確認して一連の測定手順を終了する（同ステップＳ７）。
【００５０】
次に、本発明の重要な特徴部分である表示部の表示の態様について、特に、図６から図９を参照して説明する。これから説明する態様の表示を行う表示部としては、図５の具体的構成においては、表示部１４でも表示部２３でも、どちらを利用してもよい。
【００５１】
図６は、求められた内臓脂肪面積を棒グラフにて表示する態様を例示している。この例では、棒グラフには、内臓脂肪面積の良否を判定するために、内臓脂肪面積が１００ｃｍ2（多い、食事制限、運動が必要等）と１３０ｃｍ2（非常に多い、病気の検査が必要等）とを示す箇所に判定指標として目盛線３１および３２を設けている。このように、棒グラフに判定基準となる目盛線３１、３２を設けたことにより、測定された内臓脂肪面積が判定基準に対してどの程度多いのか、もしくは少ないのかを視覚的に捕らえることができるので、使用者は容易に自分の健康状態を把握することができる。その上、１００ｃｍ2（多い、食事制限、運動が必要等）と１３０ｃｍ2（非常に多い、病気の検査が必要等）というように段階的に内臓脂肪面積の判定指標である目盛線を設けたことにより、使用者に対して、測定結果についてインパクトを与えることができる。ちなみに、判定指標である目盛線は、ここでは日本肥満学会で発表されている内臓脂肪面積の評価基準である１００ｃｍ2と１３０ｃｍ2にあたる箇所に設けている。
【００５２】
図７は、外側に皮下脂肪面積、内側に内臓脂肪面積を同心円として表したグラフにて表示する態様を例示している。外側の縁から内側の円を除いた部分が皮下脂肪面積となる。特に健康に影響を与えるといわれている内臓脂肪面積を同心円で、内臓脂肪面積が１００ｃｍ2（多い、食事制限、運動が必要等）と１３０ｃｍ2（非常に多い、病気の検査が必要等）とを示す箇所に判定指標として円形の目盛線３３および３４を設けた。図６の棒グラフと同様に、求められた内臓脂肪面積が判定基準に対してどの程度多いのか、もしくは少ないのかを視覚的に捕らえることができ、且つ結果に対するインパクトを与えることができることに加えて、総脂肪面積の占める割合、皮下脂肪面積と内臓脂肪面積との割合について、視覚的に捕らえることができ、使用者は容易に自分の健康状態を把握することができる。
【００５３】
図８は、縦軸に肥満判定指数（体重と身長の比から求められる肥満判定の指数のことで、体格指数、カウブ指数、ローレル指数等のことである）のうちの体格指数（ＢＭＩ）、横軸に内臓脂肪面積とし、該当するポイントに求められた結果をマトリクス状のグラフにて表示する態様を例示している。横軸方向には、内臓脂肪面積の段階的な判定基準として、１００ｃｍ2や１３０ｃｍ2を示す箇所に目盛線３５および３６を設けた。また、縦軸方向には、ＢＭＩの判定基準として、２５を示す箇所に目盛線３７を設けた。ちなみに、ＢＭＩの判定基準は、ここでは日本肥満学会で発表されている数値を用いた。このように、内臓脂肪面積と他の生体情報であるＢＭＩとの関係において、求められた結果を判定するための判定指標を有するグラフとしたことにより、判定評価のためのより多くの情報が視覚的に捕らえることができる。ちなみに、求められた結果が領域▲１▼、▲２▼に属する場合には、適正な状態を示す。領域▲３▼に属する場合には、不適正な状態を示し、特に運動推進、糖分や脂肪分の摂取過多の抑制の必要性を示す。領域▲４▼に属する場合には、不適正な状態を示し、特に能動的な運動推進やカロリー制限により体重減少の必要性を示す。領域▲５▼に属する場合には、非常に不適正な状態を示し、特に能動的な運動推進、食事制限の必要性を示す。領域▲６▼に属する場合には、非常に不適正な状態を示し、特に専門家による定期的管理の必要性を示す。なお、縦軸のＢＭＩ側も段階的な判定基準とする目盛線として設けても良い。縦軸と横軸の目盛線は、目的に応じて適宜設けられるものである。
【００５４】
図９は、縦軸に内臓脂肪面積、横軸を時系列軸とし、これまでの求められた結果を折れ線により示す履歴グラフにて表示する態様を例示している。このグラフでは、内臓脂肪面積が適正となる判定基準である目盛線３８を設けている。過去の測定結果が判定基準に対して一時的な傾向であるか、恒久的な傾向であるか、を視覚的に捕らえることができるので、使用者は容易に現在の健康状態を正確に把握することができる。
【００５５】
なお、図６から図９においては、求められた結果が判定基準を示す目盛線を超える毎に、形状、色、柄、模様、色彩、点滅状態が変化するものであってもよい。例えば、図６においては、求められた結果が１００ｃｍ2や１３０ｃｍ2の目盛線を超える毎に結果を表す部分の色が、青→黄→赤というように変化する。また、図８においては、求められた結果が領域▲１▼〜▲６▼のいずれかの領域になるかにより、丸、三角、四角、ばつ、星型というように変化している。これにより、さらに視覚的に認識し易くなる。
【００５６】
また、求められた結果に対するアドバイス情報を言葉等により表示してもよい。例えば、図６においては、求められた結果が１００ｃｍ2や１３０ｃｍ2の目盛線を超える毎に、「食事制限、運動が必要です。」、「病気の検査が必要です。」といった内容を表示部のコメント欄に表示をする。また、図８においては、求められた結果が領域▲１▼、▲２▼に属する場合には、「これからもいままでの生活状態を続けましょう。」（図８の求められた結果１に対応するコメント欄Ａ参照）、求められた結果が領域▲３▼に属する場合には、「運動し、糖分や脂肪分の摂取過多に気を付けましょう。」、求められた結果が領域▲４▼に属する場合には、「能動的に運動し、カロリー制限をすることによりたい従を減少させましょう。」、求められた結果が領域▲５▼に属する場合には、「能動的に運動し、糖分や脂肪分の食事制限をしましょう。」、求められた結果が領域▲６▼に属する場合には、「医師による定期的管理を行って下さい。」といった内容をコメント欄Ａに表示する。これにより、被験者に行動に対する注意を喚起させることができる。
【００５７】
さらにまた、図８のコメント欄Ｂ（求められた結果２に対するコメント例）に示すように、選択可能なように運動指示情報を複数与えることにより、被験者は自分に合った方法で適正化のための運動ができ、確実に適正な内臓脂肪面積の状態へと導くことにつなげることができる。何故コメント欄Ｂに示される運動指示情報により内臓脂肪面積やＢＭＩの適正化が行われるようになるかというと、コメント欄Ｂに示される運動指示情報は、体重を減らすために一般的に指導されているアドバイス情報（減らす量により指導内容が異なる）だからである。ＢＭＩは、身長と体重との関係により算出され、一般的に身長は変化しないために体重を減らせばＢＭＩも低くなる。また、内臓脂肪面積は、ＢＭＩと相関が良いために（実験結果によると相関係数Ｒ０．７９）、ＢＭＩが低くなれば、内臓脂肪面積も小さくなる。したがって、図８の求められた結果２の場合に、コメント欄Ｂの運動指示情報の内容は、あらかじめ領域に応じた内臓脂肪面積を適正値とするために減量すべき体重に対応するアドバイス情報ということになる。なお、複数の運動指示情報は、表示部のコメント欄Ｂに１つの情報づつコメントされ、所定のスイッチを押す毎に次の情報へと切り替わり表示してもよい。
【００５８】
本発明の実施の形態および実施例において、内臓脂肪面積の判定指標の境界表示を日本肥満学会で発表されている１００ｃｍ2、１３０ｃｍ2を用いたが、この値に限定されず、また、数字の代わりに”正常”、”多い”、”非常に多い”等の言葉による判定指標にしてもよい。
【００５９】
また、本発明の実施の形態および実施例では、変数測定手段１により体脂肪面積と相関のある変数値を測定し、個人パラメーター入力手段２により性別、年齢、身長等の個人パラメーターを入力することにより体脂肪面積を求めたが、変数測定手段１の代わりに変数入力手段を設け、または、変数入力手段をさらに設けることにより体脂肪面積と相関のある変数値を入力し、個人パラメーター入力手段２の代わりに個人パラメーター測定手段を設け、または、個人パラメーター測定手段をさらに設けることにより性別、年齢、身長等の個人パラメーターを測定することにより体脂肪面積を求める装置の形態とすることもできる。
【００６０】
【発明の効果】
本発明によれば、体脂肪面積の求められた結果だけでなく、その求められた結果が健康上適正なものなのか不適正なものであるのかを視覚的に即座に把握でき、しかも、健康管理上どのような行動をとればよいか等についてのアドバイス情報も与えられるので、単に体脂肪面積を求めるというだけで終わってしまうことがなく、その求められた結果を健康管理に役立てることが極めて容易にできるようになる。
【図面の簡単な説明】
【図１】本発明による一実施例としての体脂肪面積を求める装置のブロック図である。。
【図２】図１の装置の動作手順を表すフローチャートである。
【図３】体脂肪面積ＣＴと算出面積との相関を示す図である。
【図４】縦軸にＸ線ＣＴ装置により求められた内臓脂肪面積、横軸に全身体脂肪量から内臓脂肪面積を推定する回帰式に基づいて求められた算出面積とする場合の相関を示す図である。
【図５】図１のブロック図に示した本発明の一実施例としての体脂肪面積を求める装置の一つの実施の形態としての、特に内臓脂肪面積を求める装置の具体的構成を示す外観図である。
【図６】求められた内臓脂肪面積を表示する一つの態様を示す図である。
【図７】求められた内臓脂肪面積を表示する別の態様を示す図である。
【図８】求められた内臓脂肪面積を表示するさらに別の態様を示す図である。
【図９】求められた内臓脂肪面積を表示するさらに別の態様を示す図である。
【符号の説明】
１  変数測定手段
２  個人パラメーター入力手段
３  記憶手段
４  演算手段
５  判定手段
６  表示手段
７  制御手段
１１  体重計付き体脂肪計
１２  載せ台
１３  電極
１４  表示部
１５  スイッチ部
２１  エンコーダ式メジャー
２２  筐体
２３  表示部
２４  スイッチ部
２５  巻尺部
３１〜３８  目盛線
【図１】
0003910795.tif 000002
【図２】
0003910795.tif 000003
【図３】
0003910795.tif 000004
【図４】
0003910795.tif 000005
【図５】
0003910795.tif 000006
【図６】
0003910795.tif 000007
【図７】
0003910795.tif 000008
【図８】
0003910795.tif 000009
【図９】
0003910795.tif 000010